(57)【要約】    【課題】  ＶＴＲ等に記録されたデジタル放送を再生する場合であっても、ユーザに対して常に最新の広告を掲示することができるデジタル放送システムを提供する。    【解決手段】  デジタル放送の送信側では、広告主を特定するための広告主ＩＤを広告に付加してデジタル放送を送信し、受信側では、デジタルビデオ１２９に録画したデジタル放送を再生する際に、前記広告主ＩＤを検出してデコードし、デコード結果である広告主にアクセスして最新の広告を送ってもらい、再生する。【選択図】        図３
2005175963.tif 000002
【特許請求の範囲】
【請求項１】
デジタル放送の送信側で広告を送信し、受信側で前記広告を再生するデジタル放送システムにおいて、
前記送信側は、
送信する広告に、広告主を特定するための広告主識別情報を含む属性情報を付加する手段を有し、
前記受信側は、
前記属性情報を検出する情報検出手段と、
前記検出された属性情報中の広告主識別情報をデコードするデコード手段と、
前記デコード手段のデコード結果である広告主にアクセスするためのアクセス手段と、
前記アクセスした広告主の指示に応じた処理を実行する処理実行手段とを
備えたことを特徴とするデジタル放送システム。
【請求項２】
前記受信側は、前記広告を記録媒体に記録し再生可能に構成され、
前記処理実行手段は、前記アクセスした広告主の指示に応じて、前記記録媒体中の広告を変更して再生することを特徴とする請求項１に記載のデジタル放送システム。
【請求項３】
前記変更された広告の再生中は、早送りモード及び早送り再生モードを禁止する手段を有することを特徴とする請求項２に記載のデジタル放送システム。
【請求項４】
前記処理実行手段は、前記アクセスした広告主の指示によって、該広告主が掲示する表示情報を一定時間表示することを特徴とする請求項１に記載のデジタル放送システム。
【請求項５】
前記属性情報は、前記広告主識別情報とともに、該属性情報が付加される対象のデータが広告であること又は当該広告の開始を示す情報、及び当該広告の長さを示す情報を含むことを特徴とする請求項１乃至４に記載のデジタル放送システム。
【請求項６】
デジタル放送の送信側で送信した広告を受信し再生するデジタル放送受信装置において、
前記送信側で送信した広告に付加された、広告主を特定するための広告主識別情報を含む属性情報を検出する情報検出手段と、
前記検出された属性情報中の広告主識別情報をデコードするデコード手段と、
前記デコード手段のデコード結果である広告主にアクセスするためのアクセス手段と、
前記アクセスした広告主の指示に応じた処理を実行する処理実行手段とを
備えたことを特徴とするデジタル放送受信装置。
【請求項７】
前記広告を記録媒体に記録し再生可能に構成され、
前記処理実行手段は、前記アクセスした広告主の指示によって、前記記録媒体中の広告を変更することを特徴とする請求項６に記載のデジタル放送受信装置。
【請求項８】
前記変更された広告の再生中は、早送りモード及び早送り再生モードを禁止する手段を有することを特徴とする請求項７に記載のデジタル放送受信装置。
【請求項９】
前記処理実行手段は、前記アクセスした広告主の指示によって、該広告主が掲示する表示情報を一定時間表示することを特徴とする請求項６に記載のデジタル放送受信装置。
【請求項１０】
前記属性情報は、前記広告識別情報とともに、該属性情報が付加される対象のデータが広告であること又は当該広告の開始を示す情報、及び当該広告の長さを示す情報を含むことを特徴とする請求項６乃至９に記載のデジタル放送受信装置。
【請求項１１】
デジタル放送の送信側で広告を送信し、受信側で前記広告を再生するデジタル放送の送受信方法において、
前記送信側から、広告主を特定するための広告主識別情報を含む属性情報を広告に付加して送信し、
前記受信側では、前記属性情報を検出し、検出された属性情報中の広告主識別情報をデコードし、デコード結果である広告主にアクセスし、アクセスした広告主の指示に応じた処理を実行することを特徴とするデジタル放送の送受信方法。
【請求項１２】
デジタル放送の送信側で送信した広告を受信し再生するデジタル放送受信装置の制御方法を実行するための、コンピュータで読み取り可能な制御プログラムであって、
前記送信側で送信した広告に付加された、広告主を特定するための広告主識別情報を含む属性情報を検出するステップと、
前記検出された属性情報中の広告主識別情報をデコードするステップと、
前記デコードの結果である広告主にアクセスするためのステップと、
前記アクセスした広告主の指示に応じた処理を実行するステップとを
備えたことを特徴とする制御プログラム。
【発明の詳細な説明】
【技術分野】
【０００１】
本発明は、広告の送受信が可能なデジタル放送システム及びデジタル放送の送受信方法、受信した広告の再生が可能なデジタル放送受信装置、及び前記デジタル放送受信装置の制御方法を実現するための制御プログラムに関する。
【背景技術】
【０００２】
デジタル放送においては、デジタル圧縮により高画質・高音質で多彩な放送が楽しめるだけでなく、データ放送とリンクさせたり、電話線やインターネットなどを介して放送業者にデータを送信したりすることにより、ユーザの要望や嗜好を放送に反映させるような、双方向の放送を行うこともできる。
【０００３】
また、デジタル放送では、多チャンネルであることを利用して、同じ内容の番組を、一定間隔を空けてずらしながら繰り返し流すことによって、擬似的にオンデマンド的な使い方をすることも可能である。
【０００４】
このようなデジタル放送には、有料放送の他に、従来同様、広告を挿入することによる無料放送という形態があり（例えば特許文献１を参照）、広告は無料放送の対価として重要な放送要素となっている。
【特許文献１】特開２００１−１２８１８１号公報
【発明の開示】
【発明が解決しようとする課題】
【０００５】
しかしながら、デジタル放送においては、擬似オンデマンド的な放送が可能であるとしても、タイムシフターとしてのＶＴＲに対する要求はなくならない。タイムシフターとしてＶＴＲを使用する場合、例えば録画した広告付きの無料番組を半年経ってから見ようとした際に、商品によっては広告された商品が既に新商品に入れ替わっている場合があり、ＶＴＲに録画されたものを再生した場合、広告の効果が減少してしまうという問題があった。
【０００６】
本発明は上記従来の問題点に鑑み、ＶＴＲ等に記録されたデジタル放送を再生する場合であっても、ユーザに対して常に最新の広告を掲示することができるデジタル放送システム、デジタル放送受信装置、デジタル放送の送受信方法、及び制御プログラムを提供することを目的とする。
【課題を解決するための手段】
【０００７】
上記目的を達成するために、本発明のデジタル放送システムでは、デジタル放送の送信側で広告を送信し、受信側で前記広告を再生するデジタル放送システムにおいて、前記送信側は、送信する広告に、広告主を特定するための広告主識別情報を含む属性情報を付加する手段を有し、前記受信側は、前記属性情報を検出する情報検出手段と、前記検出された属性情報中の広告主識別情報をデコードするデコード手段と、前記デコード手段のデコード結果である広告主にアクセスするためのアクセス手段と、前記アクセスした広告主の指示に応じた処理を実行する処理実行手段とを備えたことを特徴とする。
【０００８】
また、前記受信側は、前記広告を記録媒体に記録し再生可能に構成され、前記処理実行手段は、前記アクセスした広告主の指示に応じて、前記記録媒体中の広告を変更して再生することを特徴とする。
【０００９】
また、前記変更された広告の再生中は、早送りモード及び早送り再生モードを禁止する手段を有することを特徴とする。
【００１０】
また、前記処理実行手段は、前記アクセスした広告主の指示によって、該広告主が掲示する表示情報を一定時間表示することを特徴とする。
【００１１】
また、前記属性情報は、前記広告主識別情報とともに、該属性情報が付加される対象のデータが広告であること又は当該広告の開始を示す情報、及び当該広告の長さを示す情報を含むことを特徴とする。
【００１２】
本発明のデジタル放送受信装置では、デジタル放送の送信側で送信した広告を受信し再生するデジタル放送受信装置において、前記送信側で送信した広告に付加された、広告主を特定するための広告主識別情報を含む属性情報を検出する情報検出手段と、前記検出された属性情報中の広告主識別情報をデコードするデコード手段と、前記デコード手段のデコード結果である広告主にアクセスするためのアクセス手段と、前記アクセスした広告主の指示に応じた処理を実行する処理実行手段とを備えたことを特徴とする。
【００１３】
また、前記広告を記録媒体に記録し再生可能に構成され、前記処理実行手段は、前記アクセスした広告主の指示によって、前記記録媒体中の広告を変更することを特徴とする。
【００１４】
また、前記変更された広告の再生中は、早送りモード及び早送り再生モードを禁止する手段を有することを特徴とする。
【００１５】
また、前記処理実行手段は、前記アクセスした広告主の指示によって、該広告主が掲示する表示情報を一定時間表示することを特徴とする。
【００１６】
また、前記属性情報は、前記広告識別情報とともに、該属性情報が付加される対象のデータが広告であること又は当該広告の開始を示す情報、及び当該広告の長さを示す情報を含むことを特徴とする。
【００１７】
本発明のデジタル放送の送受信方法では、デジタル放送の送信側で広告を送信し、受信側で前記広告を再生するデジタル放送の送受信方法において、前記送信側から、広告主を特定するための広告主識別情報を含む属性情報を広告に付加して送信し、前記受信側では、前記属性情報を検出し、検出された属性情報中の広告主識別情報をデコードし、デコード結果である広告主にアクセスし、アクセスした広告主の指示に応じた処理を実行することを特徴とする。
【００１８】
本発明の制御プログラムでは、デジタル放送の送信側で送信した広告を受信し再生するデジタル放送受信装置の制御方法を実行するための、コンピュータで読み取り可能な制御プログラムであって、前記送信側で送信した広告に付加された、広告主を特定するための広告主識別情報を含む属性情報を検出するステップと、前記検出された属性情報中の広告主識別情報をデコードするステップと、前記デコードの結果である広告主にアクセスするためのステップと、前記アクセスした広告主の指示に応じた処理を実行するステップとを備えたことを特徴とする。
【発明の効果】
【００１９】
本発明によれば、デジタル放送を利用するユーザに対して常に最新の広告を掲示することが可能になる。
【発明を実施するための最良の形態】
【００２０】
本発明のデジタル放送システム、デジタル放送受信装置、デジタル放送の送受信方法、及び制御プログラムの実施の形態について、図面を参照しながら説明する。
【００２１】
＜デジタル放送システムの構成＞
図１は、本発明の実施の一形態に係るデジタル放送システムの送信側の構成を示すブロック図であり、図２は、その受信側の構成を示すブロック図である。
【００２２】
まず図１において、１０１、１１５、１１７は、番組／広告送出部であり、それぞれ別の出力データを送出する。各番組／広告送出部１０１、１１５、１１７はそれぞれ、番組データがディスクあるいはテープなどにデジタル記録された番組記録部１０３と、広告データがディスクあるいはテープなどに記録された広告記録部１０５と、広告であることとその長さや、当該広告の広告主を特定する情報等の、広告に関する情報を発生する広告ＩＤ付加部１１３とを備えている。広告記録部１０５から出力された広告データと、広告ＩＤ付加部１１３が生成した広告に関する情報とは多重手段１１１で多重され、さらに切り換え手段１０９で本編番組データと広告データとが切り換えられて多重部１０７に集められる。
【００２３】
多重部１０７は、各番組のデジタルストリームを多重することで、トランスポートストリームを形成する。また、多重部１０７には、番組表生成部１１９が生成する番組表が加えられており、略一定の間隔で番組表をトランスポートストリーム中に挿入する。多重部１０７で生成されたトランスポートストリームは、送信機１２１で変調・増幅され、送信アンテナ１２３を介して送出される。
【００２４】
図２に示すデジタル放送システムの受信側では、受信アンテナ１２５で受信されたデジタル放送が受像機１２７に加えられる。受像機１２７は、チューナ部１３１を有し、受信アンテナ１２５で受信されたデジタル放送は、チューナ部１３１で選択受信され、トランスポートストリームが復元される。そして、受像機１２７に外付けされたデジタルビデオ１２９へ出力されるとともに、切り換え部１３３の一方の入力端子に加えられる。
【００２５】
デジタルビデオ１２９は、磁気テープやディスクを媒体とするデジタル記録再生装置であり、加えられたトランスポートストリームを記録・再生する。デジタルビデオ１２９から再生されたトランスポートストリームは受像機１２７に入力し、切り換え部１５７の一方の入力端子に加えられる。切り換え部１５７のもう一方の入力端子には後述する広告蓄積部１５５の出力が加えられている。そして、切り換え部１５７の出力は、切り換え部１３３のもう一方の入力端子に加えられる。
【００２６】
切り換え部１３３を切り換えることにより、現在放送されているデジタル放送と、以前録画したデジタルビデオ１２９の再生画像とを切り換えることができる。切り換え部１３３の出力は番組表検出部１３７と切り換え部１３５に加えられる。番組表検出部１３７は、トランスポートストリーム中から番組表を検出し蓄えることで、当該トランスポートストリーム中に存在する番組の項目を保持し、ユーザが見たい番組の時に切り換え部１３５を閉じることで見たい番組だけを復号部１３９と広告ＩＤ検出部１４１に加える。
【００２７】
復号部１３９は、ユーザが選択した番組のＭＰＥＧ２ストリームを復号し、画像をモニタ１４７に音声をスピーカ１４９に出力する。広告ＩＤ検出部１４１は番組内に多重された広告のＩＤを検出し、当該ＩＤから広告の長さと広告主の情報を取り出し、制御部１４３に出力する。
【００２８】
制御部１４３には、赤外線リモコンの受光部１５３からのリモコン情報、広告ＩＤ検出部１４１から広告ＩＤの情報、再生記録日時情報、及びタイマーからの日付情報が加えられており、端子１４５を通じてインターネットあるいは電話線などの回線と接続されており、回線を経由して取得した最新の広告を広告蓄積部１５５に蓄える。広告蓄積部１５５に蓄えられた広告は切り換え部１５７に加えられ、制御部１４３の制御によりデジタルビデオ１２９からの出力と入れ替えられる。
【００２９】
＜制御部１４３の動作＞
次に、制御部１４３の動作について図３のフローチャートを用いて説明する。なお、このフローチャートに従ったプログラムを制御部１４３内の記憶装置に格納し実行することにより、以下の制御方法を実現させることが可能となる。
【００３０】
まずステップＳ２０１において、赤外線リモコンから受光部１５３を通じてユーザの命令を受け、その命令が「ビデオを再生せよ」という命令であった場合は（ステップＳ２０３）、ステップＳ２０５へ移行する。そうでなかった場合はステップＳ２２３において命令に応じた処理を行い、ステップＳ２０１に戻る。
【００３１】
ステップＳ２０５では（ビデオ再生指令の場合）、デジタルビデオ１２９を再生状態に遷移させる。再生が始まると制御部１４３は、ステップＳ２０７において広告ＩＤ検出部１４１が出力する広告ＩＤを検査し、広告が検出されるとステップＳ２０９に移行する。ステップＳ２０９では、広告ＩＤから広告主を特定し、回線を通じて当該広告主宛へ当該広告ＩＤを送って返答を待つ。
【００３２】
次のステップＳ２１１においては広告主の回答を判定し、広告主が広告を差し替えるように指示をした場合はステップＳ２１３へ移行し、媒体に収められた広告をそのまま使うように指示した場合はステップＳ２１７に移行する。
【００３３】
ステップＳ２１３では、回線を通じて新しい広告が送られてくるので、当該新しい広告を広告蓄積部１５５に蓄えつつ、ステップＳ２１５において切り換え部１５７を広告蓄積部１５５側に切り換え、モニタ１４７及びスピーカ１４９側へ流して新しい広告を再生する。
【００３４】
また、ステップＳ２１７に移行した場合は、媒体（デジタルビデオ１２９）に入っている広告をそのまま再生する。ステップＳ２１５において新しい広告を再生した場合においても、ステップＳ２１７において媒体に収められていた広告をそのまま再生した場合においても、広告が終わるまでの期間は早送りや早送り再生などの機能は禁止される。
【００３５】
広告の再生が終了すると、ステップＳ２１９において、切り換え部１５７をデジタルビデオ１２９側に復帰させ、再生を継続させる。その後のステップＳ２２１において、ユーザからのリモコン指令を受信し、ステップＳ２２３においてビデオを停止させた場合は、処理を終了し、そうでない場合はステップＳ２０７に戻って広告の監視を続ける。
【００３６】
このように本実施形態では、デジタルビデオ１２９に録画されたデジタル放送を再生する場合であっても、挿入されている広告を最新版のものに差し替えて再生することができる。
【００３７】
なお、本発明は、図示の実施形態に限定されず、種々の変形が可能である。その変形例として、例えば次のようなものがある。
【００３８】
（１）デジタル放送ではトランスポートストリーム中に複数個の番組を多重して送っており、トランスポートストリーム中に最新の広告を重畳して送信しておき、チューナ部１３１で当該広告を選別して広告蓄積部１５５で蓄えるようにしておけば、回線を通じて広告の差し替えを行う方法を採った場合よりも、回線を通じた広告の送信時間分、最新の広告を再生するまでの時間を短縮することができる。
【００３９】
（２）受像機１２７がインターネットアクセス機能を備えていて、ユーザがＷＥＢへアクセスするアカウントを持っている場合は、当該広告主の運営するＷＥＢサイトのｕｒｌ（アドレス）を広告ＩＤに含めて送信することにより、広告主のホームページをユーザに対して一定時間表示し、広告の品が新製品に変わったことなどを掲示することも可能である。
【００４０】
（３）本実施形態では受像機１２７で広告ＩＤを検出したが、デジタルビデオ１２９に回線を接続する、あるいは受像機１２７と回線を共用するような構成にすれば、デジタルビデオ１２９側で広告ＩＤを検出して広告を入れ替えてから受像機１２７に加えることも可能である。
【００４１】
（４）本実施形態では、回線を通じて広告主にアクセスする構成で説明したが、当該番組を放送した放送局を特定し、当該放送局に問い合わせることにより間接的に広告主を特定することもできる。
【００４２】
（５）商品の性質によっては、例えば自動車におけるリコールや飲料の回収など、広告主が一般に周知徹底したい事項について、広告を広報の一部として用いることができる。
【００４３】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【００４４】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００４５】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【図面の簡単な説明】
【００４６】
【図１】本発明の実施の一形態に係るデジタル放送システムの送信側の構成を示すブロック図である。
【図２】本発明の実施の一形態に係るデジタル放送システムの受信側の構成を示すブロック図である。
【図３】制御部１４３の動作を示すフローチャートである。
【符号の説明】
【００４７】
１０１、１１５、１１７  番組／広告送出部
１１３  広告ＩＤ付加部
１１９  番組表生成部
１０７  多重部
１２１  送信機
１２３  送信アンテナ
１２５  受信アンテナ
１２７  受像機
１２９  デジタルビデオ
１３１  チューナ部
１３７  番組表検出部
１３９  復号部
１４１  広告ＩＤ検出部
１４３  制御部
１５５  広告蓄積部
【図１】
2005175963.tif 000003
【図２】
2005175963.tif 000004
【図３】
2005175963.tif 000005